(57)【要約】【課題】  自発光型表示装置において生じうる表示領域、特にその周辺部の焼き付きを抑制する。【解決手段】  画像信号（２２）が入力され、前記画像信号に応じた画像が、複数の発光素子がマトリクス状に配置された表示領域（１２）に表示される表示装置であって、  前記画像の輝度は、前記画像が書き換えられてからの経過時間とともに減少し、前記輝度の単位時間あたりの減少率が、前記表示領域の内での位置によって異なり、前記表示領域の中心で最も小さく、中心から離れるにつれて大きくなることを特徴とする表示装置。【選択図】  図２
2010156761.tif 000002
【特許請求の範囲】
【請求項１】
画像信号が入力され、前記画像信号に応じた画像が、複数の発光素子がマトリクス状に配置された表示領域に表示される表示装置であって、
前記画像の輝度は、前記画像が書き換えられてからの経過時間とともに減少し、前記経過時間に対する前記輝度の減少率が、前記表示領域の内での位置によって異なり、前記表示領域の中心で最も小さく、中心から離れるにつれて大きくなることを特徴とする表示装置。
【請求項２】
画像信号が入力され、入力された画像信号に、当該画像信号が表示される前記表示領域の内での位置と、前記経過時間とから定められるゲインを乗算した信号を出力するゲイン調整部を有することを特徴とする請求項１に記載の表示装置。
【請求項３】
前記ゲイン調整部が、少なくともゲイン乗算部とゲイン記憶部と表示時間カウンタ部を備えたことを特徴とする請求項２に記載の表示装置。
【請求項４】
前記ゲイン調整部が、少なくともゲイン乗算部とゲイン計算部と表示時間カウンタ部を備えたことを特徴とする請求項２に記載の表示装置。
【請求項５】
前記減少率は、最も大きい位置で高々１．５％／秒であることを特徴とする請求項１ないし４のいずれか１項に記載の表示装置。
【請求項６】
前記発光素子が有機ＥＬ素子であることを特徴とする請求項１ないし５のいずれか１項に記載の表示装置。
【請求項７】
前記画像信号から画像のシーンの切り替わりを検出し、前記経過時間を開始することを特徴とする請求項１ないし６のいずれか１項に記載の表示装置。
【請求項８】
請求項１ないし６のいずれか１項に記載の表示装置と、シャッターボタンとを備えたカメラであって、前記シャッターボタンが押されることにより撮影された画像が表示された時刻から前記経過時間を開始することを特徴とするカメラ。
【発明の詳細な説明】
【技術分野】
【０００１】
本発明は、自発光方式の画像表示装置、詳しくは、有機ＥＬ素子を含む表示装置とそれを有するカメラに関わるものである。
【背景技術】
【０００２】
近年、有機エレクトロルミネッセンス素子（以下、「有機ＥＬ素子」という。）やプラズマ素子のような発光素子を用いた発光型表示装置が利用されている。
【０００３】
このような発光素子は発光させた場合に輝度の低下が生じる場合がある。
【０００４】
このため多数の発光素子をマトリクス状に配列させた発光型表示装置では、表示画像に応じて輝度が低下した素子が表示面内に分布し、使用者から焼き付きとして視認されることがありうる。
【０００５】
焼き付きの原因となる表示画像としては、例えばテレビ放送時のテロップや放送局マークや、デジタルカメラのモニタに表示される各種情報のように常に同じ場所に同じパターンが表示される画像が挙げられる。
【０００６】
この表示パターンは表示装置の画面の比較的周辺部に配置されることが多いため、長時間の使用後は表示装置の周辺部に焼き付きが生じる可能性がある。
【０００７】
このような発光型表示装置の周辺部に生じる焼き付きを低減する技術として、表示装置に画像を表示する際、画像の中心部の輝度に対して画像の周辺部の輝度を下げる処理を加えることで周辺部の焼き付きを低減させる技術が特許文献１に開示されている。
【特許文献１】特開２００２−０７２９５１
【発明の開示】
【発明が解決しようとする課題】
【０００８】
本発明の課題とするところは、自発光型の表示装置において生じうる焼き付き、特に表示領域周辺部の焼き付きの低減である。
【課題を解決するための手段】
【０００９】
本発明は、画像信号が入力され、前記画像信号に応じた画像が、複数の発光素子がマトリクス状に配置された表示領域に表示される表示装置であって、
前記画像の輝度は、前記画像が書き換えられてからの経過時間とともに減少し、前記輝度の単位時間あたりの減少率が、前記表示領域の内での位置によって異なり、前記表示領域の中心で最も小さく、中心から離れるにつれて大きくなることを特徴とする。
【発明の効果】
【００１０】
本発明によれば、表示領域周辺部の輝度を表示時間に応じて徐々に下げていくことで、表示領域周辺部の輝度の時間平均を下げることが出来る。このため表示領域周辺部に配置された発光素子の劣化を低減でき、結果として表示領域周辺部に生じる焼き付きを低減することが出来る。
【００１１】
また表示開始時には表示領域中央部と周辺部の輝度に差が無く、表示時間に応じて徐々に周辺部の輝度が下がっていくため、表示領域を観察している利用者の目が徐々に中央部と周辺部の間の輝度差に慣れていく。このため利用者が表示領域中心部と表示領域周辺部の輝度差に気が付く恐れが少ない。
【発明を実施するための最良の形態】
【００１２】
発光素子の輝度低下は素子の発光強度の時間平均に依存する。したがって、発光表示装置の表示輝度の低下は表示画像の輝度の時間平均を下げることで低減できる。
【００１３】
また、表示装置の面内の輝度分布変化がある一定の割合以下であれば、利用者は表示装置の面内輝度のむらを認識しにくい。
【００１４】
これらの知見より、本発明によれば表示領域、特にその周辺部の輝度を表示時間に応じて徐々に下げていくことで、表示領域周辺部の輝度の時間平均を下げることが出来る。このため表示領域周辺部に配置された発光素子の輝度低下を抑制でき、結果として表示領域周辺部に生じる焼き付きを低減することが出来る。
【００１５】
また表示開始時には表示領域中央部と周辺部の輝度に差が無く、表示時間に応じて徐々に周辺部の輝度が下がっていくため、表示領域を観察している利用者の目が徐々に中央部と周辺部の間の輝度差に慣れていく。このため利用者が表示領域中心部と表示領域周辺部の輝度差に気が付く恐れが少ない。
【００１６】
なお、表示装置の「輝度」とは、表示された画像によって異なるものであるが、通常、最大信号が与えられたときの輝度、すなわち最大輝度を、その表示装置の明るさの指標として、単に「輝度」という。本明細書もこの用法に従う。
【００１７】
ＲＧＢの３色の発光素子から構成された表示装置では、Ｒ表示、つまり赤の発光素子を１００％の信号で全面に点灯させたときの輝度を定義できるし、同様にＧの輝度、Ｂの輝度、およびそれらを全て発光させた白の輝度も定義できる。通常の画像表示が行われているときは、これらの輝度を最大として、それ以下の明るさで画像が表示されていることになる。
【００１８】
以下、本発明を実施するための最良の形態について説明する。
【００１９】
図１は本発明の実施形態の表示装置１１である。表示装置１１は複数の発光素子（図示せず）がマトリクス状に配置された表示領域１２を備える。表示領域１２には表示装置１１に入力された画像信号に応じた画像が表示される。
【００２０】
表示領域１２としては複数の有機ＥＬ素子を配置した有機ＥＬ表示パネルを用いても良い。またプラズマ発光素子を配置したプラズマ表示パネルを用いても良い。
【００２１】
表示装置１１は放送波を受信し表示するテレビジョン受信機のようにそれ単体で動作する表示装置であってもよいし、デジタルカメラなど別の装置の内部に組み込まれる表示装置であっても良い。
【００２２】
図２は表示装置１１の動作を説明するためのブロック図である。表示装置１１は入力された画像信号２２の輝度を調整するゲイン調整部２１を備える。ゲイン調整部２１は画像信号２２中の位置に応じてある量のゲインを乗算して輝度を調整する。このとき画像中心部の輝度と画像周辺部の輝度に対してそれぞれ別のゲインを乗算する。ゲイン調整後の画像信号２３が表示領域１２に入力される。表示領域１２は入力されたゲイン調整後の画像信号２３に応じた画像を表示する。
【００２３】
なお図２においてゲイン調整部２１は表示装置１１の内部にあるものとして図示したが、デジタルカメラ等の装置に表示装置１１が組み込まれる場合は、ゲイン調整部２１と同等の機能を持つ機構を表示装置１１が組み込まれる装置内に別途設置してもよい。
【００２４】
次に図３を用いてゲイン調整部２１の動作について説明する。
【００２５】
上述のようにゲイン調整部２１は画像信号２２中の画像情報に表示位置に対応したゲインを乗算して出力する。このとき場所ごとのゲインの時間に対する変化を図３に示す。図３のグラフ中、時間が０の点、すなわち表示開始時は表示領域中心部１３に対応するゲインと表示領域周辺部１４に対応するゲインは共に等しく１．０である。表示開始後、時間の経過とともに表示領域周辺部に対応するゲイン３２は、表示領域中心部に対応するゲイン３１よりも小さくする。これにより表示開始後、時間の経過と共に表示領域１２に表示される画像は中心部より周辺部のほうが次第に暗くなる。
【００２６】
時間に対する表示領域周辺部１４に対応するゲイン１４の減少率は利用者が観察中に輝度の低下に気が付かない量にするのが好ましい。１秒あたりに１．５％の減少率以下の減少率であれば利用者が観察中に輝度の低下に気が付かず好適である。また、周辺部の輝度が低下しすぎると違和感が生じるので、輝度の絶対値が一定値、例えば５０ｃｄ／ｍ２を下回る、もしくは表示開始からの輝度低下が一定割合、例えば５０％を超えると、それ以上低下しないように設定しておくことが好ましい。
【００２７】
時間に対する表示位置とゲインの関係はメモリ等の記憶装置に保存しても良い。この実施形態におけるブロック図を図４に示す。この場合、ゲイン調整部２１は少なくともゲイン乗算部４１とゲイン記憶部４２と表示時間カウンタ部４３を備える。ゲイン記憶部４２には図３に示される位置情報と時間とゲイン値のテーブルを内部に製品出荷前に記録する。ゲイン乗算部４１は入力された画像信号２２の位置情報をゲイン記憶部４２に送る。また表示時間カウンタ部はある時点から経過した時間をカウントしゲイン記憶部４２に送る。ゲイン記憶部４２は送られた位置情報と経過時間に応じたゲイン値をゲイン乗算部４１に送り返す。ゲイン乗算部４１は送り返されたゲイン値を画像信号に乗算し、調整された画像信号２３として表示領域１２に送信する。
【００２８】
表示時間カウンタ部でカウントされる時間は外部からのリセット信号（図示せず）が入力されてからの時間をカウントしても良い。例えば表示装置１１をデジタルカメラに組み込む場合には、シャッターボタンを押した信号により撮影された画像が、その直後に表示される。この場合は、シャッターボタンを押した信号をうけて、その後に画像が書き換えられた時刻を表示時間カウンタ部４３に入力し、その時刻からの時間をカウントしてもよい。
【００２９】
また画像信号２２中のシーンの切り替わりを検出し、その時点からの時間をカウントしても良い。シーンの切り替わりは、テレビ画像では、通常の番組からＣＭ（コマーシャルメッセージ）に変わったとき、動画像から静止画像に切り替わったときなどをシーンの切り替わりとして検出する。
【００３０】
図４中のゲイン記憶部４２の代わりに、リアルタイムにゲイン量を計算するゲイン計算部５１を備えても良い。この実施形態におけるブロック図を図５に示す。
【００３１】
ゲイン計算部５１はゲイン乗算部４１より送られた位置情報と表示時間カウンタ部４３より送られた経過時間よりゲイン値を計算しゲイン乗算部４１に送り返す。このゲイン値の算出式としては、画像中心部からの距離をパネルサイズで正規化した距離をｘ（０＜ｘ＜１）、経過時間をｔ、ゲイン値をｇとした際に、
ｇ＝１−（ａ＋ｂ＊ｘ２）＊ｔ
となるような関数を選ぶ。ａ（ａ＞０）、ｂ（ｂ＞０）は輝度低下の最大許容値と表示領域内の輝度差の最大許容値とから決まる係数である。これ以外でも、ｇが時間に対して単調減少かつ画像中心部からの距離に対して単調減少な関数を用いることができる。
【００３２】
以上説明した実施の形態によれば、表示開始時には中心部の輝度と周辺部の輝度が同一であって、時間経過に応じて周辺部の輝度が徐々に下がるために、輝度の変化による違和感を利用者に与えることなく、周辺部の輝度の時間平均を下げることが出来る。その結果、周辺部の焼き付きが抑制された表示装置が得られる。
【図面の簡単な説明】
【００３３】
【図１】本発明の表示装置の外観を示す図である。
【図２】本発明の実施形態のブロック図である。
【図３】ゲイン調整部によって調整されるゲイン値の説明図である。
【図４】本発明の表示装置のゲイン調整部の構成を詳しく示すブロック図である。
【図５】本発明の表示装置のゲイン調整部の別の構成を詳しく示すブロック図である。
【符号の説明】
【００３４】
１１  表示装置
１２  表示領域
１３  表示領域中心部
１４  表示領域周辺部
２１  ゲイン調整部
２２  画像信号
２３  ゲイン調整された画像信号
４１  ゲイン乗算部
４２  ゲイン記憶部
４３  表示時間カウンタ部
５１  ゲイン計算部
【図１】
2010156761.tif 000003
【図２】
2010156761.tif 000004
【図３】
2010156761.tif 000005
【図４】
2010156761.tif 000006
【図５】
2010156761.tif 000007